(57)【特許請求の範囲】
【請求項１】
平面視コ字状をなして前後に出没可能とされた側面包囲フェンスを有する箱型のペット収容部と、
ペット用品を収納するための収納棚を有した収納部と、
ペット用品や花瓶等の置物を飾るための陳列棚を有する展示部と、を備え、
該ペット収容部と、該収納部と、該展示部とを一体にユニット化してなり、
該側面包囲フェンスが、前後にスライド移動する左右一対の側板と、一方の側板に対して固設された前面板と、該前面板に取付られ、他方の側板に開閉自在に移動することを可能とした出入り口を形成する開閉扉と、から構成され、
該前面板及び該開閉扉の中間高さの位置に開口窓を設けたことを特徴とする屋内用ペットハウス。
【請求項２】
該前面板と該開閉扉とがヒンジ構造を介して連結され、該開閉扉が該前面板に折り畳み可能となされた請求項１に記載の屋内用ペットハウス。
【請求項３】
該ペット収容部の上部に該展示部が配置されるとともに、
該展示部の陳列棚が、透視可能なカウンターと、該カウンターの下部に付設される引き出しとからなり、該引き出し内にペット用品を展示しつつ収納することができるようになされた請求項１乃至２の何れかに記載の屋内用ペットハウス。
【請求項４】
玄関から連続する土間床を有するとともに、キッチンに隣接して配設され、ペットおよびその飼い主が集うためのホームカフェ空間を備え、
該ホームカフェ空間に、請求項１乃至３の何れかに記載の屋内用ペットハウスが配設されるようになされたペット共生住宅。
【発明の詳細な説明】
【技術分野】
【０００１】
本発明は、室内で飼うペットを一時的に収容して隔離することのできるペットハウスおよびそれを備えたペット共生住宅に関する。
【背景技術】
【０００２】
近年、少子高齢化やペットブームの影響もあり、犬や猫等のペットを飼育する家庭が増加傾向にある。
そして、比較的小型のペットについては、室内で飼われることが多いが、来客時など、ペットを一時的に所定の場所に収容して隔離する必要が生じる。このため、従来では、外周を柵で囲われたカゴ状のペット用サークルが用いられることが多かった（例えば、特許文献１）。
【０００３】
一方で、住宅建物内の玄関における小さな空間を利用して設置できる「愛玩動物収容室」を提案したものもある（特許文献２）。
【０００４】
【特許文献１】特開２００５−１６０４３１号公報
【特許文献２】特開平１０−２８４８８号公報
【発明の開示】
【発明が解決しようとする課題】
【０００５】
ところが、従来のペット用サークルでは、室内に設置する場合にスペースをとる上、室内の雰囲気に合致しておらず、また、ペット用のトイレ等も外部から丸見えとなることから、室内の美感を損ねるものであった。
また、特許文献２に記載される「愛玩動物収容室」では、収容室が閉鎖的な構成となってしまうために、ペットの居心地が悪く、収容したペットと飼い主とのコミュニケーションもはかりづらいものであった。
【０００６】
そこで、本発明は、上記問題に鑑みてなされたものであり、室内に省スペースで見栄えよく、美感を損ねることなく設置でき、しかもペットの居心地が良好で、ペットと飼い主とのコミュニケーションもはかり易いペットハウスおよびそれを備えたペット共生住宅を提供することを目的としている。
【課題を解決するための手段】
【０００７】
上記の課題を解決するために、請求項１に記載の屋内用ペットハウスは、平面視コ字状をなして前後に出没可能とされた側面包囲フェンスを有する箱型のペット収容部と、ペット用品を収納するための収納棚を有した収納部と、ペット用品や花瓶等の置物を飾るための陳列棚を有する展示部と、を備え、該ペット収容部と、該収納部と、該展示部とを一体にユニット化してなり、該側面包囲フェンスが、前後にスライド移動する左右一対の側板と、一方の側板に対して固設された前面板と、該前面板に取付られ、他方の側板に開閉自在に移動することを可能とした出入り口を形成する開閉扉と、から構成され、該前面板及び該開閉扉の中間高さの位置に開口窓を設けたことを要旨とする。
【０００８】
また、請求項２に記載の屋内用ペットハウスは、請求項１に記載の構成において、該前面板と該開閉扉とがヒンジ構造を介して連結され、該開閉扉が該前面板に折り畳み可能となされたことを要旨とする。
【０００９】
また、請求項３に記載の屋内用ペットハウスは、請求項１または２に記載の構成において、該ペット収容部の上部に該展示部が配置されるとともに、該展示部の陳列棚が、透視可能なカウンターと、該カウンターの下部に付設される引き出しとからなり、該引き出し内にペット用品を展示しつつ収納することができるようになされたことを要旨とする。
【００１０】
また、請求項４に記載のペット共生住宅は、玄関から連続する土間床を有するとともに、キッチンに隣接して配設され、ペットおよびその飼い主が集うためのホームカフェ空間を備え、該ホームカフェ空間に、請求項１乃至３の何れかに記載の屋内用ペットハウスが配設されるようになされたことを要旨とする。
【発明の効果】
【００１２】
本発明によれば、平面視コ字状をなして前後に出没可能とされた包囲フェンスを有する箱型のペット収容部と、ペット用品を収納するための収納棚およびリードフックからなる収納部と、ペット用品や花瓶等の置物を飾るための陳列棚を有する展示部と、を備え、該ペット収容部と、該収納部と、該展示部とを一体にユニット化してなり、該包囲フェンスが、前後にスライド移動する左右一対の側板と、一方の側板に対して固設された前面板と、他方の側板に開閉自在に取り付けられるとともに、該前面板の前方または後方に重ね合わさって出入り口を形成する開閉扉と、から構成され、該前面板の後方には、トイレ用スペースを形成可能となされたペットハウスであるため、室内に省スペースで見栄えよく、美感を損ねることなく設置できる。しかもペットが入るときには広く使え、出入りも自由に行えるため、ペットの居心地が良好となる。さらに、お互いの動静がわかり、ペットと飼い主とのコミュニケーションもはかり易いものとできる。
【発明を実施するための最良の形態】
【００１３】
以下、本発明の一実施形態を、図１〜図５に基づいて説明する。図１は、本実施形態に係るペットハウス１を配設したペット共生住宅３を示す平面配置図である。図２〜図５は、本実施形態に係るペットハウス１の詳細を示す図であり、図２は正面図、図３は側面図、図４（ａ）（ｂ）は平面図（（ａ）は包囲フェンス１６を後退させた状態、（ｂ）は包囲フェンス１６を前進させた状態を示す）、図５は図４（ｂ）におけるＡ−Ａ線断面図である。
【００１４】
図１に示すように、本実施形態に係るペットハウス１は、ペット共生住宅３におけるホームカフェ空間４に配設されている。ホームカフェ空間４は、ペットおよびその飼い主が集うために住宅内に特別に設けられた室空間であり、玄関５から連続する土間床６によって構成されている。ホームカフェ空間４は、開口部７を介して出入り自在に、キッチン８に隣接して配設されている。
このようなホームカフェ空間４を備えることで、ペットの散歩やイベントあるいはインターネットブログ等を介して知り合った飼い主たちが、ペット連れで集まって、ペットが遊んでいる姿を眺めながらお茶を飲んだり休憩したりする場を住宅内に提供することが可能となるものである。
【００１５】
ペットハウス１は、上記ホームカフェ空間４の玄関５近傍において壁面に沿って配設され、図２〜図５に示すように、全体として、背が高く奥行きのやや浅い直方体形状をなすものであり、ペット収容部１０と、収納部１１および展示部１２とを一体にユニット化して構成されている。
ペット収容部１０は、ペットハウス１の下部に接地状態で配設されており、本体部１５とこれに嵌着される平面視コ字状の包囲フェンス１６とを備えた箱型形状のものであるが、図４（ａ）（ｂ）に示すように、包囲フェンス１６が前後に出没可能に構成されている。包囲フェンス１６は、ペットが簡単に飛び越えられないような高さ（例えば約700ｍｍ）を有し、ペット収容部１０は、包囲フェンス１６を突出させた状態で一辺が約1,000ｍｍ程度の略正方形の平面をなすように構成されている。
【００１６】
収納部１１は、図２〜図３に示すように、複数の収納棚２０ａ、２０ｂ、２０ｃ、２０ｄと、側面に配設されペット用のリードあるいはレインコート等を掛止できるリードフック２１とから構成されている。収納棚２０ａ〜２０ｄは、例えば、ペットフード、ペット用衣服、ペット用おもちゃ、トイレ用品（シーツ、消臭剤等）、グルーミング用品（シャンプー、トリートメント、歯磨きセット、ブラシ、櫛、ハサミ、爪切り、各種スプレー等）、散歩グッズ（糞処理バッグ等）、掃除用品など何種類ものペット用品を分類して、すぐに取り出せる状態で収納している。収納棚２０ａ内には、ペット用衣服等を懸吊するためのハンガーパイプが設けられている。
なお、図２〜図３に示す如く側面に凸起してデザインされた袖壁２２により、リードフック２１に掛止したものが、正面からは目視し難いようになされている。
【００１７】
展示部１２は、図２および図５に示すように、カウンター２５と、カウンター２５下部に付設される引き出し２６とからなる陳列棚２７を備えており、ペット収容部１０のちょうど直上部に配置された構成となっている。カウンター２５の上面は平坦に形成され、花瓶や時計等の置物を飾るために用いられる。
カウンター２５は透明ガラス製で、下部の引き出し２６内を透視可能となされており、これによって、引き出し２６内に収納した首輪やペット用アクセサリーなどのペット用品を展示しながら収納するショーケースとしての機能も果たすことができるようになっている。カウンター２５上方に位置する収納棚２０ｂの底面には、下方に向かって配光を行う照明２９が埋設されており、引き出し２６内の収納物を美しく見せる工夫が施されている。
【００１８】
ペット収容部１０についてさらに詳述すると、図４〜図５に示すように、ペット収容部１０の包囲フェンス１６は、前後にスライド移動する左右一対の側板３０ａ、３０ｂと、前面板３１および開閉扉３２とによって構成されている。包囲フェンス１６は、スライドレール３４やキャスター３５等公知の方法によって、前後に出没可能となされているものである。
前面板３１および開閉扉３２は、ペット収容部１０の正面部を左右に略二分割するようにして構成されており、前面板３１が側板３０ａに対して固設されている一方で、開閉扉３２は側板３０ｂに開閉自在に取り付けられている。特に本実施形態では、図４〜図５に示すように、開閉扉３２が、ヒンジ構造としての蝶番３７を介して、前面板３１と回動可能に連結されており、開閉扉３２を前面板３１の前方に折り畳むことによって、出入り口３９を形成できるようになっている（図４（ｂ））。前面板３１や開閉扉３２には、閉止状態または開放状態を一時的に保持可能なフランス落し等の係止手段（図示せず）を設けておくことが好ましい。
【００１９】
上記によって構成されたペットハウス１は、通常時は、開閉扉３２を開放して前面板３１に重ね合わせ、出入り口３９を形成した状態で使用される（図４（ｂ））。ペットは、この出入り口３９を介してペット収容部１０に自由に出入りすることができる。包囲フェンス１６は前方に突出させておくことが好ましいが、突出させずに使用してもよい。
図４（ｂ）に示すように、ペット収容部１０では、ペットが寝たり食事をしたりするための休息用スペース４１と、トレー型トイレ４２等を設置可能なトイレ用スペース４３とが形成されるが、前面板３１の後方にトイレ用スペース４３が形成されることで、前面板３１がちょうど目隠しとなって室内の美感が損なわれるのを防止している。
【００２０】
来客時等で、ペットを一時的にペット収容部１０内に隔離しておきたい場合には、包囲フェンス１６を前方に突出させ、かつ開閉扉３２を閉止した状態で使用すればよい。このとき、ペット収容部１０の前半部が、上方に大きく開放されているため、ペットは閉塞感を感じずに過ごすことができる（図５参照）。また、図２に示すように、前面板３１および開閉扉３２の略中間高さの位置には、所定の隙間面積にて切欠された横長の開口窓４５が設けられているため、ペットが包囲フェンス１６の内側から外側の様子を見通したり、あるいは飼い主が包囲フェンス１６の外側から内側のペットの様子を観察でき、これによりペットと飼い主とがコミュニケーションをはかり易く、相互に安心感を向上させることができるようになっている。
ペットを包囲フェンス１６内に収容することで、ペットが安心して用便や就寝等を行うことが可能となり、しつけの効果も得られる。
【００２１】
なお、本実施形態に係るペットハウス１は、例えば木材で主要部分が形成されているが、少なくとも収納部１１とペット収容部１０の前面板３１および開閉扉３２とに同一の素材感を有する面材が用いられており、全体的に室内家具調に仕上げられている。そして、上記の通り、収納部１１と展示部１２とを備えた所定の構成であることから、住宅内に配設し、他の家具類と並べてみた場合でも違和感が全くない。
【００２２】
このようなペットハウス１によれば、室内に過大なスペースをとることなく簡単に設置できる上、室内の雰囲気にも合致しており見栄えが良い。また、包囲フェンス１６の所定の構成によって、トイレ用スペース４３を外部から視認し難いように遮蔽できるため、室内の美感を損なうおそれがない。
ペット収容部１０を使用していないときには、包囲フェンス１６を後退させることで包囲フェンス１６が目立たなくなり、コンパクトですっきりとしたデザインのものとできる。
【００２３】
また、ペットハウス１を、上記のようなホームカフェ空間４に配設して、ペット共生住宅３を構成することで、ペットにとっても飼い主にとっても使い勝手がよく、快適な住環境を形成することが可能となる。ホームカフェ空間４は、来客を招き入れる場ともなるが、ペットハウス１であれば、インテリアを損なわず、圧迫感を与えることがない。
【００２４】
本実施形態の変形例を図６に示す。図６（ａ）〜（ｃ）にそれぞれ示すように、ペット収容部１０’、収納部１１’、展示部１２’を、様々な形態で、上下左右に複数積層または並設することによりペットハウス１’を構成している。ペットハウス１’の全体形状は、必ずしも完全な直方体形状である必要はないが、単純な形状でユニット化することで、コストを安価にすることができ、設置も容易となる。
【００２５】
以上の実施形態の記述は、本発明をこれに限定するものではなく、本発明の要旨を逸脱しない範囲で種々の設計変更等が可能である。
例えば、包囲フェンス１６の一部に、柵状または格子状のものを用いることもできる。また、開閉扉３２は、前面板３１の前方または後方に重ね合わさって出入り口を形成できるものであればよく、上記したヒンジ構造に替えて、左右へスライド可能な開閉扉等を用いてもよい。
本発明のペットハウスは、主として犬や猫等の比較的小型のペットを収容対象とするものであるが、ペットの種類や大きさに応じて、種々のサイズや形状のものを採用することができる。
【産業上の利用可能性】
【００２６】
本発明は、室内に省スペースで見栄えよく、美感を損ねることなく設置でき、しかもペットの居心地が良好で、ペットと飼い主とのコミュニケーションもはかり易いペットハウスおよびそれを備えたペット共生住宅を提供するものであり、産業上の利用可能性を有する。
【図面の簡単な説明】
【００２７】
【図１】実施形態に係るペット共生住宅を示す平面配置図である。
【図２】実施形態に係るペットハウスを示す正面図である。
【図３】実施形態に係るペットハウスを示す側面図である。
【図４】（ａ）（ｂ）実施形態に係るペットハウスを示す平面図である。
【図５】図４（ｂ）におけるＡ−Ａ線断面図である。
【図６】（ａ）（ｂ）（ｃ）変形例に係るペットハウスを示す正面図である。
【符号の説明】
【００２８】
１  ペットハウス
３  ペット共生住宅
４  ホームカフェ空間
５  玄関
６  土間床
８  キッチン
１０  ペット収容部
１１  収納部
１２  展示部
１６  包囲フェンス
２０ａ〜２０ｄ  収納棚
２１  リードフック
２５  カウンター
２６  引き出し
２７  陳列棚
３０ａ、３０ｂ  側板
３１  前面板
３２  開閉扉
３９  出入り口
４３  トイレ用スペース
４５  開口窓
【図１】
0005321944.tif 000002
【図２】
0005321944.tif 000003
【図３】
0005321944.tif 000004
【図４】
0005321944.tif 000005
【図５】
0005321944.tif 000006
【図６】
0005321944.tif 000007